(57)【要約】【課題】スライダ本体側の循環チューブとエンドキャップ側の方向転換路との位置決めを精度良く行うことができるようにしてころの円滑な循環を確保すると共に、組立作業性の向上を図ることができる直動案内軸受装置を提供する。【解決手段】スライダ本体２Ａの孔７に挿入される循環チューブ８の端部及びスライダ本体２Ａの端面に固定されるエンドキャップ９の内のいずれか一方に凸部１４を形成すると共に、他方に凸部１４が係合する凹部１５を形成し、且つ前記凸部１４及び前記凹部１５の内の少なくとも―方に循環チューブ８の端面の周方向に沿う傾斜面１６を設ける。【選択図】      図５
2005003045.tif 000002
【特許請求の範囲】
【請求項１】
軸方向に延びる転動体転動溝を有する案内レールと、該案内レールの前記転動体転動溝に対向する転動体転動溝を有し、これらの両転動体転動溝間に挿入された転動体としての多数のころの転動を介して軸方向に沿って相対移動可能に前記案内レールに跨架されたスライダとを備え、
前記スライダは、軸方向に貫通する孔内に挿入されて内部が転動体通路をなす循環チューブを有するスライダ本体と、前記両転動体転動溝間と前記転動体通路とを連通する湾曲状の方向転換路を有して前記スライダ本体の軸方向の両端面に固定された一対のエンドキャップとを具備する直動案内軸受装置であって、
前記循環チューブの端部及び前記エンドキャップの内のいずれか一方に凸部を設けると共に、他方に前記凸部が係合する凹部を設け、且つ前記凸部及び前記凹部の内の少なくとも―方に前記循環チューブの端面の周方向に沿う傾斜面を設けたことを特徴とする直動案内軸受装置。
【発明の詳細な説明】
【０００１】
【発明の属する技術分野】
本発明は、例えば工作機械や産業機械分野等に用いられる直動案内軸受装置に関する。
【０００２】
【従来の技術】
従来のこの種の直動案内軸受装置としては、例えば図１０に示すものが知られている。
この直動案内軸受装置は、軸方向に延びる案内レール１と、該案内レール１上に軸方向に相対移動可能に跨架されたスライダ２とを備えている。
案内レール１の幅方向の両側面にはそれぞれ軸方向に延びる転動体転動溝３が片側上下二条列ずつ、合計４条列形成されており、スライダ２のスライダ本体２Ａには、その両袖部４の内側面にそれぞれ転動体転動溝３に対向する転動体転動溝５が形成されている。
両転動体転動溝３，５の間には転動体としての多数のころ６が転動自在に装填され、これらのころ６の転動を介してスライダ２が案内レール１上を軸方向に沿って相対移動できるようになっている。
【０００３】
この移動につれて、案内レール１とスライダ２との間に介在するころ６は転動してスライダ２の軸方向の端部に移動するが、スライダ２を軸方向に継続移動させていくためには、これらのころ６を無限に循環させる必要がある。
このため、スライダ本体２Ａの両側の袖部４内にそれぞれ軸方向に貫通する上下二つ（合計４つ）の孔７を形成して該孔７に内部がころ６の通路（転動体通路）８ａとされた循環チューブ８を挿入すると共に、スライダ本体２Ａの軸方向の両端にそれぞれ転動体循環部品としての一対のエンドキャップ９をねじ等を介して固定し、このエンドキャップ９に上記両転動体転動溝３，５間と上記転動体通路８ａとを連通する半円弧状に湾曲した方向転換路９ａ（図３及び図４参照）を形成することにより、ころ６の無限循環軌道を形成している。
【０００４】
なお、エンドキャップ９に設けられた方向転換路９ａは、上側の転動体通路８ａと下側の両転動体転動溝３，５間とを連通するものと、下側の転動体通路８ａと上側の両転動体転動溝３，５間とを連通するものが互いに干渉しないように交差して形成されている。
ところで、エンドキャップ９をスライダ本体２Ａの端面に固定する際には、スライダ本体２Ａ側の循環チューブ８（転動体通路８ａ）とエンドキャップ９側の方向転換路９ａとの位置決めがころ６のスムースな循環を確保する上で重要になる。
【０００５】
このような位置決めに関する技術としては、例えばスリーブ（循環チューブ）の両端に欠円状の欠肉部を形成すると共に、側板（エンドキャップ）の方向転換路の開口端にスリーブの欠肉部に合致した凸部を形成し、該凸部をケーシング（スライダ本体）の円孔（スリーブの挿入孔）内およびスリーブの欠肉部に嵌合することで、ケーシングとスリーブと側板とを互いに位置決めするようにしたものが提案されている（例えば特許文献１参照）。
【０００６】
この場合、ケーシング、スリーブおよび側板が別部材で構成されているので、スリーブの組付けは、ケーシングの一方の端面に側板を取り付け、他方の端面からケーシングに貫設された円孔内にスリーブを挿入し、その際にスリーブの内周形状と側板の方向転換路の開口端形状が一致するように位相を合わせる。
【０００７】
【特許文献１】
特許第２８６５８５４号公報
【０００８】
【発明が解決しようとする課題】
しかしながら、上記特許文献１においては、ころ６の循環を円滑にするために循環チューブ８（転動体通路８ａ）とエンドキャップ９側の方向転換路９ａとの連結部の位置合せを精度良く行おうとした場合、凸部と欠肉部との嵌め合い精度を厳しくする必要があるため、正確に循環チューブ８の位相を合わせないとエンドキャップ９と循環チューブ８とが組み合わなくなる。そうすると、循環チューブ８をスライダ本体２Ａの孔７に挿入する際に循環チューブ８の位相を正確に合わせる必要があるため、作業性が低下して組立作業に時間がかかり、コストアップにつながるという問題がある。
本発明はこのような不都合を解消するためになされたものであり、スライダ本体側の循環チューブとエンドキャップ側の方向転換路との位置決めを精度良く行うことができるようにしてころの円滑な循環を確保することができると共に、組立作業性の向上を図ることができる直動案内軸受装置を提供することを目的とする。
【０００９】
【課題を解決するための手段】
上記目的を達成するために、請求項１に係る発明は、軸方向に延びる転動体転動溝を有する案内レールと、該案内レールの前記転動体転動溝に対向する転動体転動溝を有し、これらの両転動体転動溝間に挿入された転動体としての多数のころの転動を介して軸方向に沿って相対移動可能に前記案内レールに跨架されたスライダとを備え、
前記スライダは、軸方向に貫通する孔内に挿入されて内部が転動体通路をなす循環チューブを有するスライダ本体と、前記両転動体転動溝間と前記転動体通路とを連通する湾曲状の方向転換路を有して前記スライダ本体の軸方向の両端面に固定された一対のエンドキャップとを具備する直動案内軸受装置であって、
前記循環チューブの端部及び前記エンドキャップの内のいずれか一方に凸部を設けると共に、他方に前記凸部が係合する凹部を設け、且つ前記凸部及び前記凹部の内の少なくとも―方に前記循環チューブの端面の周方向に沿う傾斜面を設けたことを特徴とする。
【００１０】
【発明の実施の形態】
以下、本発明の実施の形態の一例を図を参照して説明する。図１は本発明の実施の形態の一例である直動案内軸受装置の循環チューブ側の凸部を説明するための説明図、図２は図１のＡ−Ａ線断面図、図３はエンドキャップ側の凹部を説明するための説明図、図４は図３のＢ−Ｂ線断面図、図５は凸部と凹部の係合構造の一例を説明するための説明図、図６は凸部と凹部の係合構造の変形例を説明するための説明図、図７は凸部の変形例を説明するための説明図、図８及び図９は傾斜面の形成例を説明するための説明図である。なお、この実施の形態では、既に図１０で説明した従来の直動案内軸受装置と重複する部分については各図に同一符号を付してその説明を省略する。
【００１１】
本発明の実施の形態の一例である直動案内軸受装置１０は、図１に示すように、スライダ本体２Ａに貫設した４箇所の孔７に樹脂製の循環チューブ８が挿入され、該循環チューブ８の内周部にはころ６が若干のすき間を存して通過できる方形断面の転動体通路８ａが形成されている。循環チューブ８は、半割状のものを径方向に接合させた状態になっている。循環チューブ８の長さはスライダ本体２Ａと略同一長さとされており、また、図２に示すように、循環チューブ８の外周面と孔７の内周面との間にはすき間７ａが設けられている。
【００１２】
上側の両転動体転動溝３，５と下側の両転動体転動溝３，５との間には上下のころ６を保持する保持部材１１が介装されており、保持部材１１の軸方向端部にはエンドキャップ９の位置決め溝１２が設けられている。
エンドキャップ９の方向転換路９ａは、図３及び図４に示すように、上側の転動体通路８ａと下側の両転動体転動溝３，５間とを連通するものと、下側の転動体通路８ａと上側の両転動体転動溝３，５間とを連通するものが互いに干渉しないように立体的に交差して形成されている。また、エンドキャップ９のスライダ本体２Ａ側を向く面には、前記位置決め溝１２に嵌合される位置決め突起１３が突設されている。
【００１３】
ここで、この実施の形態では、循環チューブ８の両端部に凸部１４を設けると共に、エンドキャップ９の方向転換路９ａの開口端の周囲に前記凸部１４が係合する凹部１５を設け、且つ、図５に示すように、前記凸部１４及び前記凹部１５に前記循環チューブ８の端面の周方向に沿う傾斜面１６を設けている。
そして、スライダ本体２Ａの一方の端面の位置決め溝１２にエンドキャップ９の位置決め突起１３を嵌合し、この状態でスライダ本体２Ａの他方の端面から孔７内に循環チューブ８を挿入し、該循環チューブ８の一方の端部の凸部１４をエンドキャップ９側の凹部１５に係合させることで循環チューブ８と孔７との間にすき間７ａを設けた状態で該循環チューブ８を支持するようにしている。
【００１４】
これにより、循環チューブ８内の転動体通路８ａとエンドキャップ９側の方向転換路９ａとの位置合わせを正確に行うことができ、ころ６の円滑な循環を確保することができる。また、前記凸部１４及び前記凹部１５に循環チューブ８の端面の周方向に沿う傾斜面１６を設けているので、循環チューブ８の位相が傾斜面１６の傾斜範囲内のズレであれば循環チューブ８を押し込むことで容易に凸部１４を凹部１５に係合させて正確な位置合わせを行うことができ、この結果、組立作業性の向上を図ることができる。
【００１５】
なお、本発明の直動案内軸受装置は上記実施の形態に限定されるものではなく、本発明の要旨を逸脱しない範囲において適宜変更可能である。
例えば、上記実施の形態では、凸部１４の周方向に沿う面の全面を傾斜面１６とした場合を例に採ったが、これに代えて、図６に示すように、凸部１４の周方向に沿う面の先端のみを傾斜面１６として基端部に直線部１７を設けることで、より安定した係合構造とすることができる。
【００１６】
また、上記実施の形態では、循環チューブ８の端部の一部に凸部１４を設けた場合を例に採ったが、これに代えて、図７に示すように、循環チューブ８の端部全体に傾斜面１６を有する凸部１４を設けるようにしてもよい。このようにすることで、より大きな循環チューブ８の位相のズレにも対応することができる。
更に、凸部１４及び凹部１５に設ける傾斜面１６は、図８に示すように、周方向の一部に設けてもよく、また、図９に示すように、周方向の全周に設けてもよい。
【００１７】
更に、上記実施の形態では、凸部１４及び凹部１５の両方に傾斜面１６を設けた場合を例に採ったが、これに限定されず、凸部１４及び凹部１５のいずれかに傾斜面１６を設けるようにしてもよい。
更に、上記実施の形態では、循環チューブ８側に凸部１４を、エンドキャップ９側に凹部１５を設けた場合を例に採ったが、これに代えて、循環チューブ８側に凹部１５を、エンドキャップ９側に凸部１４を設けるようにしてもよい。
【００１８】
【発明の効果】
上記の説明から明らかなように、本発明によれば、スライダ本体側の循環チューブとエンドキャップ側の方向転換路との位置決めを精度良く行うことができるので、ころの円滑な循環を確保することができ、また、循環チューブの位相が傾斜面の傾斜範囲内のズレであれば循環チューブを押し込むことで容易に凸部を凹部に係合させて正確な位置合わせを行うことができるので、組立作業性の向上を図ることができる。
【図面の簡単な説明】
【図１】本発明の実施の形態の一例である直動案内軸受装置の循環チューブ側の凸部を説明するための説明図である。
【図２】図１のＡ−Ａ線断面図である。
【図３】エンドキャップ側の凹部を説明するための説明図である。
【図４】図３のＢ−Ｂ線断面図である。
【図５】凸部と凹部の係合構造の一例を説明するための説明図であり、（ａ）は係合前、（ｂ）は係合後である。
【図６】凸部と凹部の係合構造の変形例を説明するための説明図であり、（ａ）は係合前、（ｂ）は係合後である。
【図７】凸部の変形例を説明するための説明図であり、（ａ）は循環チューブの端部を軸方向から見た図、（ｂ）は循環チューブの端部を径方向から見た図である。
【図８】傾斜面の形成例を説明するための説明図である。
【図９】傾斜面の形成例を説明するための説明図である。
【図１０】従来の直動案内軸受装置を説明するためのエンドキャップの一部を切り欠いた図である。
【符号の説明】
１…案内レール
２…スライダ
２Ａ…スライダ本体
３…転動体転動溝（案内レール側）
５…転動体転動溝（スライダ本体側）
６…ころ
７…孔
８…循環チューブ
８ａ…転動体通路
９…エンドキャップ
９ａ…方向転換路
１０…直動案内軸受装置
１４…凸部
１５…凹部
１６…傾斜面
【図１】
2005003045.tif 000003
【図２】
2005003045.tif 000004
【図３】
2005003045.tif 000005
【図４】
2005003045.tif 000006
【図５】
2005003045.tif 000007
【図６】
2005003045.tif 000008
【図７】
2005003045.tif 000009
【図８】
2005003045.tif 000010
【図９】
2005003045.tif 000011
【図１０】
2005003045.tif 000012